(57)【要約】【課題】薄葉紙ディスペンサーに腰の弱い薄葉紙が収容される場合でも、薄葉紙を円滑に取出すことができる薄葉紙ディスペンサー用アタッチメントを提供すること。【解決手段】開口する取出口を有して薄葉紙が載置される底面部と、前記底面部から前記薄葉紙の積載方向に延びる壁部とを有する薄葉紙ディスペンサーに着脱可能に取り付けられる薄葉紙ディスペンサー用アタッチメントであって、可撓性を有するシートで形成され、前記底面部に配置される基部と、前記基部から延びて前記壁部に配置される延出部とを有し、前記延出部には、載置される前記薄葉紙の方向に突出する複数の突起が前記積載方向に間隔を空けて形成されている、薄葉紙ディスペンサー用アタッチメント。【選択図】図１
2018140075.tif 000002
【特許請求の範囲】
【請求項１】
開口する取出口を有して薄葉紙が載置される底面部と、前記底面部から前記薄葉紙の積載方向に延びる壁部とを有する薄葉紙ディスペンサーに着脱可能に取り付けられる薄葉紙ディスペンサー用アタッチメントであって、
可撓性を有するシートで形成され、
前記底面部に配置される基部と、
前記基部から延びて前記壁部に配置される延出部とを有し、
前記延出部には、載置される前記薄葉紙の方向に突出する複数の突起が前記積載方向に間隔を空けて形成されている、薄葉紙ディスペンサー用アタッチメント。
【請求項２】
一対の前記シートを対向させてなり、
一方の前記シートの前記延出部に形成された前記各突起と、他方の前記シートの前記延出部に形成された前記各突起とが、前記薄葉紙ディスペンサー内で対向するように設けられている、請求項１に記載の薄葉紙ディスペンサー用アタッチメント。
【請求項３】
前記一方のシートの前記延出部に形成された前記各突起と、前記他方のシートの前記延出部に形成された前記各突起とが、前記薄葉紙ディスペンサー内で互い違いに対向するように設けられている、請求項２に記載の薄葉紙ディスペンサー用アタッチメント。
【請求項４】
前記基部には、載置される前記薄葉紙の方向に突出する少なくとも１つの突起が形成されている、請求項２に記載の薄葉紙ディスペンサー用アタッチメント。
【請求項５】
前記一方のシートの前記基部の端部と前記他方のシートの前記基部の端部との間に隙間が形成され、
前記隙間の幅寸法が、前記薄葉紙ディスペンサーの前記取出口の幅寸法よりも小さい、請求項２に記載の薄葉紙ディスペンサー用アタッチメント。
【請求項６】
請求項１乃至５のいずれか１項に記載の薄葉紙ディスペンサー用アタッチメントを有する、薄葉紙ディスペンサー。
【発明の詳細な説明】
【技術分野】
【０００１】
本発明は、薄葉紙ディスペンサー用アタッチメント及び薄葉紙ディスペンサーに関する。
【背景技術】
【０００２】
薄葉紙ディスペンサーは、洗面所や化粧室等に設置され、内部に収容されたペーパータオル等の衛生薄葉紙を取出口からユーザーが一枚ずつ取り出して使用できるように設計されている。従来の薄葉紙ディスペンサーでは、薄葉紙を大量に収容することができ、残量が少なくなったときでも薄葉紙が取出口に到達できるように、ディスペンサーの底部に取出口が設けられている。
【０００３】
また、底部に取出口が設けられた薄葉紙ディスペンサーでは、大量の薄葉紙が収納されると、薄葉紙はその自重によってディスペンサーの底部に押し付けられ、薄葉紙を引き出す際に摩擦力が生じて、取り出しにくくなる。そのため、取出口の開口幅を大きくしたり、ディスペンサーの底部をＶ字状にしたり、ディスペンサーの底部に補助具（アタッチメント）を取付けて、薄葉紙を取出し易くしている。
【０００４】
例えば、特開２０１６−３０１９２号公報（特許文献１）には、ハンドタオルディスペンサーの底部にディスペンサーの取出口よりも幅寸法が小さい開口部が形成されたアタッチメントが開示されている。
【先行技術文献】
【特許文献】
【０００５】
【特許文献１】特開２０１６−３０１９２号公報
【発明の概要】
【発明が解決しようとする課題】
【０００６】
近年、薄葉紙ディスペンサーで使用されるペーパータオルに、柔らかい紙質を求めるユーザーが増えてきており、また、コストダウンの観点から、坪量の低い紙が用いられ、紙の腰が弱いペーパータオルが薄葉紙ディスペンサーで使用されることが多くなってきている。紙の腰が弱いペーパータオルは、ディスペンサー内で撓み易く、ディスペンサー底部の取出口にペーパータオルの重さが集中しやすい。そのため、腰が弱い薄葉紙が既存の薄葉紙ディスペンサーにセットされると、薄葉紙の残量が多い場合は、薄葉紙を引き出す際に抵抗が生じ、薄葉紙が取出しにくく、また、薄葉紙の残量が少なくなった場合は、撓んだ薄葉紙が複数枚まとまって取出される問題があり、薄葉紙を円滑に取出すことができない。
【０００７】
本発明の目的は、薄葉紙ディスペンサーに腰が弱い薄葉紙がセットされている場合でも、薄葉紙を円滑に取出すことができる薄葉紙ディスペンサー用アタッチメントを提供することである。
【課題を解決するための手段】
【０００８】
本発明の第１の態様は、開口する取出口を有して薄葉紙が載置される底面部と、前記底面部から前記薄葉紙の積載方向に延びる壁部とを有する薄葉紙ディスペンサーに着脱可能に取り付けられる薄葉紙ディスペンサー用アタッチメントであって、可撓性を有するシートで形成され、前記底面部に配置される基部と、前記基部から延びて前記壁部に配置される延出部とを有し、前記延出部には載置される前記薄葉紙の方向に突出する複数の突起が前記積載方向に間隔を空けて形成されている。
【０００９】
第１の態様では、複数の突起が形成された延出部を有するシートが薄葉紙ディスペンサーに取付けられると、薄葉紙ディスペンサーの壁部には薄葉紙の積載方向に並ぶ複数の突起が配置される。薄葉紙ディスペンサー内に収容された薄葉紙は、取出口から取り出される際に、この複数の突起に接触しながら、底面部に落下する。そのため、薄葉紙の残量が多い場合に、薄葉紙ディスペンサー内で薄葉紙の重さが分散され、底面部に集中する薄葉紙の重さが軽減される。その結果、薄葉紙を取出す際の抵抗が小さくなり、薄葉紙ディスペンサーから薄葉紙を円滑に取出すことができる。
【００１０】
また、シートは可撓性を有するため、薄葉紙ディスペンサー内の形状に合わせて変形することができる。そのため、第１の態様のアタッチメントは、薄用紙ディスペンサーに対する取り付けが容易である。
【００１１】
また、第１の態様では、延出部の突起を、シートを折り曲げ加工することにより形成することができる。そのため、シートの延出部に突起を簡単に形成することができる。また、延出部が可撓性を有するシートで形成されているため、延出部に弾性を付与することができる。そのため、薄葉紙ディスペンサー内で薄葉紙が延出部の突起に接触する際に、突起を介して延出部全体がペーパータオルの接触による衝撃を吸収することができるため、薄葉紙に傷みを与えずに、薄葉紙による荷重を分散させることができる。
【００１２】
第２の態様は、一対の前記シートを対向させてなり、一方の前記シートの前記延出部に形成された前記各突起と、他方の前記シートの前記延出部に形成された前記各突起とが、前記薄葉紙ディスペンサー内で対向するように設けられている。第２の態様では、対向する一対の突起が薄葉紙の積載方向に複数個所に配置される。そのため、薄葉紙の残量が多い場合には、積載方向を維持しながら薄葉紙が分散され、底面部に集中する薄葉紙の重さが軽減される。その結果、薄葉紙を取出す際の抵抗がさらに小さくなり、薄用紙ディスペンサーからの薄葉紙の取出しをより円滑に行うことができる。
【００１３】
第３の態様は、前記一方のシートの前記延出部に形成された前記各突起と、前記他方のシートの前記延出部に形成された前記各突起とが、前記薄葉紙ディスペンサー内で互い違いに対向するように設けられている。そして、対向する一対の突起が、薄葉紙の積載方向に位置をずらして配置される。そのため、薄葉紙は一方の端部側と他方の端部側が交互に下方に下るので、薄葉紙の残量が多い場合に、積載方向にバランス良く薄葉紙の重さ分散され、底面部に集中する薄用紙の重さがさらに軽減される。その結果、薄葉紙を取出す際の抵抗がさらに小さくなり、薄用紙ディスペンサーからの薄葉紙の取出しをさらに円滑にすることができる。
【００１４】
第４の態様は、前記基部に載置される前記薄葉紙の方向に突出する少なくとも１つの突起が形成されている。第４の態様では、収容された薄葉紙の腰が弱く撓みやすい場合でも、基部に形成された突起に薄葉紙が当たり、薄葉紙の撓みを和らげることができる。そのため、底面部の取出口にペーパータオルの重さが集中するのを防ぐことができ、薄用紙ディスペンサーからの薄葉紙の取出しをさらに円滑にすることができる。
【００１５】
また、第４の態様では、基部の突起をシートを折り曲げ加工することにより形成することができる。そのため、基部にも簡単に突起を形成することができる。また、基部の突起の形成を、延出部の突起の形成と同時に行うことができる。
【００１６】
また、第４の態様では、基部も可撓性を有するシートで形成することができるため、基部に弾性を付与することができる。そのため、薄葉紙ディスペンサー内で薄葉紙が基部の突起に押し付けられた際に、突起を介して基部全体でペーパータオルの荷重を吸収することができるため、ペーパータオルに傷みを与えずに、撓みを和らげることができる。
【００１７】
第５の態様は、前記一方のシートの前記基部の端部と前記他方のシートの前記基部の端部との間には隙間が形成され、前記隙間の幅寸法が、前記薄葉紙ディスペンサーの取出口の幅寸法よりも小さい。第５の態様では、このような隙間が、薄葉紙の取出口として機能するため、腰が弱く撓みやすい薄葉紙が収容され、残量が少なくなった場合でも、薄葉紙が複数枚まとまって取出されるのを防ぐことができる。
【００１８】
第６の態様は、第１乃至第５の態様のいずれかのアタッチメントを有する薄葉紙ディスペンサーである。第６の態様では、薄葉紙ディスペンサーに第１〜第５の態様のいずれかのアタッチメントが取り付けられているため、第１乃至第５の態様のいずれかで得られる効果がそのまま得られる。
【発明の効果】
【００１９】
本発明の一態様によれば、薄葉紙ディスペンサーに腰の弱い薄葉紙が収容される場合でも、薄葉紙を円滑に取出すことができる薄葉紙ディスペンサー用アタッチメントを提供することができる。
【図面の簡単な説明】
【００２０】
【図１】本実施形態に係る薄葉紙ディスペンサー用アタッチメント（第１実施形態）を示す図である。
【図２】本実施形態に係る薄葉紙ディスペンサー用アタッチメント（第１実施形態）を薄葉紙ディスペンサーに設置した状態の断面図である。
【図３】本実施形態に係る薄葉紙ディスペンサー用アタッチメント（第１実施形態）を薄葉紙ディスペンサーに設置した状態で薄葉紙ディスペンサーの内部を上から視た図である。
【図４】本実施形態に係る薄葉紙ディスペンサー用アタッチメント（第２実施形態）を示す図である。
【図５】本実施形態に係る薄葉紙ディスペンサー用アタッチメント（第２実施形態）を薄葉紙ディスペンサーに設置した状態の断面図である。
【図６】本実施形態に係る薄葉紙ディスペンサー用アタッチメント（第３実施形態）を示す図である。
【図７】本実施形態に係る薄葉紙ディスペンサー用アタッチメント（第３実施形態）を薄葉紙ディスペンサーに設置した状態の断面図である。
【発明を実施するための形態】
【００２１】
以下、図面を参照して本発明を実施するための形態について詳細に説明する。なお、各図面において、特に説明がない限り、同一の又は対応する構成については同一の符号を付して説明を省略する。
【００２２】
図１は、本実施形態に係る薄葉紙ディスペンサー用アタッチメント（第１実施形態）を示す図である。図２は、本実施形態に係る薄葉紙ディスペンサー用アタッチメント（第１実施形態）を薄葉紙ディスペンサーに設置した状態の断面図である。図３は、本実施形態に係る薄葉紙ディスペンサー用アタッチメント（第１実施形態）を薄葉紙ディスペンサーに設置した状態で薄葉紙ディスペンサーの内部を上から視た図である。
【００２３】
図１〜図３において、アタッチメント１０、２０は、本発明の薄葉紙ディスペンサー用アタッチメントの一例であり、ディスペンサー１００に着脱可能に取り付けることができる。アタッチメント１０、２０の取り付け方法は、特に限定されない。例えば、両面テープを用いてアタッチメント１０、２０をディスペンサー１００に取付けることができる。
【００２４】
アタッチメント１０、２０が取り付けられるディスペンサー１００は、本発明の薄葉紙ディスペンサー用アタッチメントが取り付けられる薄葉紙ディスペンサーの一例であり、図示しないペーパータオルが収容される。ペーパータオルは、薄葉紙の一例であるが、特に限定されるものではなく、例えば２枚のクレープ紙を重ねた１組のペーパータオルを二つ折りにして折りたたんで積層されたポップアップ方式のペーパータオルを用いることができる。
【００２５】
ディスペンサー１００は、背面１１０、前面１２０、側面１３０、１４０、底面１５０、および天面１６０を有する。背面１１０は前面１２０と対向し、側面１３０は側面１４０と対向し、底面１５０は天面１６０と対向する。背面１１０、側面１３０、１４０は、及び天面１６０の一部は、ディスペンサー１００の本体を構成する。底面１５０は、ディスペンサー１００の底面部（トレー）を構成する。前面１２０及び天面１６０の他の一部は、ディスペンサー１００の蓋体を構成することができる。
【００２６】
底面１５０は、ペーパータオルが載置される載置部１５１と、載置部１５１の中央に形成されたペーパータオルを取出すための取出口１５２とを有する。載置部１５１は端部から中央部に向かって下向きに傾斜している。取出口１５２は、ペーパータオルが通過できる幅寸法で開口されている。
【００２７】
背面１１０、前面１２０、側面１３０、１４０は底面１５０から天面１６０に向かって延びるディスペンサー１００の壁部を構成している。ディスペンサー１００の壁部が延びる方向は、ペーパータオルがディスペンサー１００内で積載される方向（以下、積載方向という）となる。
【００２８】
アタッチメント１０、２０は、可撓性を有するシートで形成されている。可撓性を有するシートは、特に限定されるものでなく、例えば、ポリプロピレン、ポリカーボネート、塩化ビニル、ポリエチレン等の樹脂シートを用いることができる。なお、コスト、折り曲げ成形性、組み立て後の強度等の観点から、厚み０．３〜０．８ｍｍのポリプロピレンが好ましい。アタッチメント１０、２０をこのような可撓性を有するシートで形成することにより、ディスペンサー１００内の形状に合わせてアタッチメント１０、２０が変形することができるため、ディスペンサー１００に対するアタッチメント１０、２０の取り付けが容易である。
【００２９】
アタッチメント１０、２０は、基部１１、２１と、基部１１、２１から延びる延出部１２、２２を有する。基部１１は、ディスペンサー１００の底面１５０に配置される。すなわち、基部１１には、アタッチメント１０、２０がディスペンサー１００に取付けられた状態で、ペーパータオルが載置される。
【００３０】
延出部１２、２２は、基部１１、２１の端部１１ａ、２１ａに接続される。また、延出部１２はディスペンサー１００の背面１１０に配置され、延出部２２はディスペンサー１００の前面１２０に配置される。すなわち、延出部１２、２２は、アタッチメント１０、２０がディスペンサー１００に取付けられた状態で、ペーパータオルの積載方向に沿って配置される。
【００３１】
なお、図１では、延出部１２、２２は、基部１１、２１に対して幅寸法が小さくなっているが、この構成に限定されるものではない。すなわち、延出部１２、２２の幅寸法を、基部１１、２１の幅寸法より大きくしてもよく、また、延出部１２、２２と基部１１、２１とを同じ幅寸法にしてもよい。また、基部の幅寸法は、ディスペンサーの底面の幅方向よりも小さくてもよい。
【００３２】
延出部１２には、２つの突起１３、１４が形成されている。突起１３、１４は、本発明における延出部に形成された複数の突起の一例である。なお、延出部１２に形成された突起の数は、２つに限定されるものではなく、３つ以上形成してもよい。
【００３３】
突起１３、１４は、載置されるペーパータオルの方向に突出しかつペーパータオルの積載方向に所定の間隔で並ぶように配置されている。また、延出部１２の突起１３、１４は、延出部１２が延びる方向と直交する方向に直線状に延びる突起として構成されている。すなわち、延出部１２の突起１３、１４は、アタッチメント１０がディスペンサー１００に取付けられた状態で、ペーパータオルの積載方向とほぼ直交する方向に直線状に延び、かつ、ペーパータオルの積載方向に沿って並んで配置される。
【００３４】
また、延出部２２には、２つの突起２３、２４が形成されている。２つの突起２３、２４は、本発明における延出部に形成された複数の突起の一例である。なお、延出部２２に形成された突起の数は、２つに限定されるものではなく、３つ以上形成してもよい。
【００３５】
突起２３、２４は、載置されるペーパータオルの方向に突出しかつペーパータオルの積載方向に所定の間隔で並ぶように配置されている。また、延出部２２の突起２３、２４は、延出部２２が延びる方向と直交する方向に直線状に延びる突起として構成されている。すなわち、延出部２２の突起２３、２４は、アタッチメント２０がディスペンサー１００に取付けられた状態で、ペーパータオルの積載方向とほぼ直交する方向に直線状に延び、かつペーパータオルの積載方向に沿って並んで配置される。
【００３６】
第１実施形態では、アタッチメント１０、２０がディスペンサー１００に取付けられると、ディスペンサー１００の背面１１０にはペーパータオルの積載方向に並ぶ複数の突起１３、１４が配置され、ディスペンサー１００の前面１２０にはペーパータオルの積載方向に並ぶ複数の突起２３、２４が配置される。このような構成では、ディスペンサー１００内に収容されたペーパータオルは、取出口１５２から取り出される際に、アタッチメント１０、２０にそれぞれ形成された突起１３、１４、２３、２４に接触しながら、底面１５０に落下していく。
【００３７】
これにより、ペーパータオルの残量が多い場合に、ディスペンサー１００内でペーパータオルの重さが分散され、底面１５０に集中するペーパータオルの重さが軽減される。そのため、第１実施形態のアタッチメント１０、２０をディスペンサー１００に取付けることにより、ペーパータオルを取出口１５２から取り出す際の抵抗が小さくなり、ディスペンサー１００からペーパータオルを円滑に取出すことができる。
【００３８】
また、突起１３、１４、２３、２４は、断面が三角形の２辺で形成されている。２辺の角度は、好ましくは４５°〜９０°である。また、各辺の長さは、好ましくは１０〜２５ｍｍである。このような形状および寸法の突起１３、１４、２３、２４により、ペーパータオルが突起１３、１４、２３、２４に接触する際に、ペーパータオルの重さが適度に分散される。
【００３９】
また、第１実施形態では、図２、図３に示すように、アタッチメント１０、２０がディスペンサー１００に取付けられた状態で、ディスペンサー１００内でアタッチメント１０、２０が対向して配置されている。アタッチメント１０の延出部１２に形成された突起１３、１４と、アタッチメント２０の延出部２２に形成された突起２３、２４とが、ディスペンサー１００内で水平方向に同じ高さで対向するように配置されている。
【００４０】
このような構成では、水平方向に同じ高さで対向する一対の突起１３、２３と、突起１４、２４とが、ペーパータオルの積載方向に並んで配置される。そのため、ペーパータオルの残量が多い場合に、積載方向に並ぶ一対の突起１３、２３と突起１４、２４とに対してペーパータオルがほぼ水平に接触することができる。そのため、ペーパータオルは積載方向を維持しながらペーパータオルの重さを分散することができる。
【００４１】
また、アタッチメント１０の延出部１２では、平面１２ａと平面１２ｂの間に突起１３が形成され、平面１２ｂと平面１２ｃの間に突起１４が形成されている。また、アタッチメント２０の延出部２２では、平面２２ａと平面２２ｂの間に突起２３が形成され、平面２２ｂと平面２２ｃの間に突起２４が形成されている。なお、このような構造の延出部１２、２２は、蛇腹構造に類似した形状ともいえる。
【００４２】
このような構造の延出部１２、２２は、可撓性を有するシートを折り曲げ加工することにより形成することができる。そのため、延出部１２、２２に複数の突起１３、１４、２３、２４を簡単に形成することができる。
【００４３】
また、このような構造の延出部が可撓性を有するシートで形成されているため、延出部が弾性を発揮することができる。そのため、ディスペンサー１００内でペーパータオルが延出部１２、２２の突起１３、１４、２３、２４に接触する際に、突起１３、１４、２３、２４を介して延出部１２、２２全体でペーパータオルの接触による衝撃を吸収することができ、ペーパータオルに傷みを与えずに、ペーパータオルによる荷重を分散させることができる。
【００４４】
アタッチメント１０の基部１１の端部１１ｂとアタッチメント２０の基部２１の端部２１ｂとの間には隙間Ｅが形成されている。隙間Ｅは、ディスペンサー１００の取出口１５２と重なるように形成されている。そして、ディスペンサー１００の取出口１５２の幅寸法ｄ１に対して、隙間Ｅの幅寸法ｄ２は小さくなっている。
【００４５】
このような構成では、隙間Ｅがペーパータオルの取出口として機能することができる。そのため、腰が弱く撓みやすいペーパータオルがディスペンサー１００内に収容され、ペーパータオルの残量が少なくなった場合でも、ディスペンサー１００の取出口１５２付近で、ペーパータオルの撓みが小さくなり、ペーパータオルが複数枚（組）まとまって取出されるのを防ぐことができる。
【００４６】
また、アタッチメント１０、２０は、ディスペンサー１００に着脱可能に取り付けることができるため、腰の弱いペーパータオルをセットする場合にディスペンサー１００に取付け、腰の強いペーパータオルをセットする場合はディスペンサー１００から取り外せばよい。そのため、腰の弱いペーパータオルをセットする場合でも、既存のディスペンサーを用いることが可能になる。
【００４７】
なお、第１実施形態においては、アタッチメント１０とアタッチメント２０とを同一の形状に形成し、それぞれ背面１１０側及び前面１２０側に配置することができる。また、隙間Ｅを形成するために、アタッチメント１０の端部１１ｂとアタッチメント２０の端部２１ｂに予め凸部を設けておき、両者の凸部を突き合わせることにより、アタッチメント１０の端部１１ｂとアタッチメント２０の端部２１ｂの間に隙間Ｅが形成される構造にしても良い。
【００４８】
図４は、本実施形態に係る薄葉紙ディスペンサー用アタッチメント（第２実施形態）を示す図である。図５は、本実施形態に係る薄葉紙ディスペンサー用アタッチメント（第２実施形態）を薄葉紙ディスペンサーに設置した状態の断面図である。
【００４９】
第２実施形態では、第１実施形態の構成に加えて、アタッチメント１０の基部１１に、突起１５がそれぞれ形成されている。突起１５は、本発明における基部に形成された少なくとも１つの突起の一例である。なお、基部１１に形成された突起の数は、１つに限定されるものではなく、２つ以上形成してもよい。
【００５０】
基部１１の突起１５は、載置されるペーパータオルの方向に突出し、かつ端部１１ａと端部１１ｂに沿って直線状に延びる突起として構成されている。すなわち、基部１１の突起１５は、アタッチメント１０がディスペンサー１００に取付けられた状態で、ディスペンサー１００の底面１５０（載置部１５１）上に配置される。このため、突起１５は突起１３、１４よりも上向きに突出するように配置される。
【００５１】
また、アタッチメント２０の基部２１に、突起２５がそれぞれ形成されている。突起２５は、本発明における基部に形成された少なくとも１つの突起の一例である。なお、基部２１に形成された突起の数は、１つに限定されるものではなく、２つ以上形成してもよい。
【００５２】
基部２１の突起２５は、載置されるペーパータオルの方向に突出し、かつ端部２１ａと端部２１ｂに沿って直線状に延びる突起として構成されている。すなわち、基部２１の突起２５は、アタッチメント１０がディスペンサー１００に取付けられた状態で、ディスペンサー１００の底面１５０（載置部１５１）上に配置される。
【００５３】
第２実施形態では、腰が弱く撓みやすいペーパータオルがディスペンサー１００内にセットされ、基部１１、２１に形成された突起１５、２５に積載されたペーパータオルが当たり、ペーパータオルの撓みを和らげることができる。そのため、基部１１、２１にこのような突起１５、２５を形成することにより、ペーパータオルの残量が多い場合でも、底面１５０の取出口１５２にペーパータオルの重さが集中するのを防ぐことができ、ディスペンサー１００からペーパータオルをより円滑に取出すことができる。
【００５４】
また、図４に示すように、アタッチメント１０では、上述した延出部１２の突起１３、１４に加えて、基部１１にも突起１５が形成されている。基部１１の構造は、平面１１ｃと平面１１ｄの間に突起１５が形成された構造になっている。また、アタッチメント２０では、上述した延出部２２の突起２３、２４に加えて、基部２１も突起２５を有する。基部２１は、平面２１ｃと平面２１ｄの間に突起２５が形成された構造になっている。なお、このような構造の基部１１、２１は、蛇腹構造に類似した形状ともいえる。
【００５５】
このような構造の基部１１、２１も、可撓性を有するシートを折り曲げ加工することにより形成することができる。そのため、基部１１、２１に突起１５、２５を簡単に形成することができる。また、基部１１、２１の突起１５、２５の形成を、延出部１２、２２の突起１３、１４、２３、２４の形成と同時に行うことができる。
【００５６】
また、このような構造の基部１１、２１も可撓性を有するシートで形成することができるため、基部に弾性を付与することができる。そのため、ディスペンサー１００内でペーパータオルが基部１１、２１の突起１５、２５に押し付けられた際に、突起１５、２５を介して基部１１、２１全体でペーパータオルの荷重を吸収することができるため、ペーパータオルに傷みを与えずに、撓みを和らげることができる。
【００５７】
図６は、本実施形態に係る薄葉紙ディスペンサー用アタッチメント（第３実施形態）を示す図である。図７は、本実施形態に係る薄葉紙ディスペンサー用アタッチメント（第３実施形態）を薄葉紙ディスペンサーに設置した状態の断面図である。
【００５８】
第３実施形態では、アタッチメント１０、２０がディスペンサー１００に取付けられた状態で、ディスペンサー１００内で対向するアタッチメント１０、２０は、アタッチメント１０の延出部１２に形成された突起１３、１４と、アタッチメント２０の延出部２２に形成された突起２３、２４とが、ディスペンサー１００内で互い違いに対向するように設けられている。すなわち、対向する一対の突起１３、２３と、突起１４、２４とが、ペーパータオルの積載方向に位置をずらして配置される。
【００５９】
このような構成では、ディスペンサー１００の側面に対して、ペーパータオルの積載方向に４つの突起１３、１４、２３、２４が分散して配置されることとなる。そのため、ペーパータオルは一方の端部側と他方の端部側が交互に下方に下るので、ペーパータオルの残量が多い場合に、ペーパータオルが複数の突起１３、１４、２３、２４に接触し、ペーパータオルの重さが積載方向にバランス良く分散され、ディスペンサー１００の底面１５０に集中するペーパータオルによる荷重が軽減される。これにより、ディスペンサー１００の取出口１５２からペーパータオルを取出す際の抵抗がさらに小さくなり、ディスペンサー１００からのペーパータオルの取出しがさらに円滑になる。
【００６０】
なお、第３実施形態では、アタッチメント１０、２０の基部１１、２１に突起１５、２５が形成されているが、第１実施形態のように基部１１、２１に突起を設けず、延出部１２に形成された突起１３、１４と、延出部２２に形成された突起２３、２４とが、ディスペンサー１００内で互い違いに対向するように設けるように構成してもよい。
【００６１】
なお、第１乃至第３実施形態では、いずれも２つのアタッチメント１０、２０がディスペンサー１００に取付けられているが、１つのアタッチメントをディスペンサー１００に取付けて実施することができる。
【００６２】
また、第１乃至第３実施形態では、アタッチメントとして２つのアタッチメント１０、２０をディスペンサー１００に取付けているが、２つのアタッチメント１０、２０を一体にしたアタッチメントを用いてもよい。すなわち、アタッチメント１０とアタッチメント２０とは、それぞれの端部１１ｂと端部２１ｂとが両端側で一体的に形成され、中央部に隙間Ｅの幅を持つ開口が形成された１つのアタッチメントとすることができる。
【００６３】
また、アタッチメント１０、２０は、ディスペンサー１００に対して、上述のように着脱可能に取り付けてもよいが、アタッチメント１０、２０が固定されたディスペンサー１００として提供してもよい。アタッチメント１０、２０の固定方法は、特に限定されるものではなく、例えば接着剤等により固定することができる。このようにアタッチメント１０、２０が固定されたディスペンサー１００とすることにより、第１乃至第３実施形態で得られる効果が得られるディスペンサー１００を提供することができる。
【実施例】
【００６４】
以下、本実施形態について、さらに実施例を用いて具体的に説明する。なお、本実施形態は、これらの実施例に限定されるものではない。各実施例、比較例の測定、評価は、以下のようにして行った。
【００６５】
［引出力］
プッシュプルゲージ（株式会社イマダ製、デジタルフォースゲージ型番Ｚ２−２０Ｎ）を用いて、ペーパータオルの引き出しに必要な力を測定した。ディスペンサーは、市販のディスペンサー（大王製紙株式会社製、エリエールディスペンサー中判Ｌ）を用いた。ディスペンサーの寸法は、外寸で、縦２９２ｍｍ、横２５０ｍｍ、奥行１３５ｍｍある。ペーパータオルには、米坪１６ｇ／ｍ２、寸法２３０×２１０ｍｍのクレープ紙が２プライされた１組の中判ペーパータオル（大王製紙株式会社製、エリエールペーパータオルスマートタイプダブル中判）を２つ折りにしたもの（縦１１５ｍｍ×横２１０ｍｍの寸法）を用いた。引出力の測定は、このペーパータオル６００組（３パック）をディスペンサー内に収容した状態で、取出口１５２から引き出されたペーパータオルの先端をダブルクリップ（挟む幅３０ｍｍ）で挟み、ダブルクリップの持ち手穴に、小鉤のアタッチメントが先端に設置されたプッシュプルゲージの該小鉤を引っ掛けて、取出口１５２に対して下方向（垂直）に引き出した。なお、ペーパータオルの先端をダブルクリップで挟む際に、ペーパータオルの先端から２０ｍｍの位置の横幅方向の中央部を別のペーパータオル（大王製紙株式会社製、エリエールペーパータオルスマートタイプシングル小判）（１７０×２１０ｍｍ、厚みが３０μｍ、１プライで１組の中判ペーパータオルを４回折りたたんだもの）で挟み、その状態でペーパータオルの先端と別のペーパータオルを一緒に挟んだ。引出力は、実施例、比較例ごとに１０回行いその平均値として算出した。引出力の単位は、ｋｇｆである。結果を表１に示す。
【００６６】
［引出性］
ディスペンサー内に収容された６００組のペーパータオルを１組ずつ連続して３０組引き出したときの、引き出し易さを評価した。引出性の確認は、ディスペンサー内に収容したペーパータオルを乾いた手で１組ずつ引き出して行った以外は、引出力の測定と同じ条件で行った。結果を表１に示す。なお、評価基準は、以下に示す。
◎  非常に引き出し易い
○  引き出し易い
△  引き出し難い
×  非常に引き出し難い
【００６７】
［保持性］
ディスペンサー内に収容されたペーパータオルを最後まで１組ずつ取り出せるかを確認、評価した。保持性の確認、評価は、２５組をセットし、乾いた手で１組ずつ引き出した。評価基準は、以下のとおりである。
◎  最後に１〜２組取り出せた
○  最後に３〜４組まとまって出てきた
△  最後に５〜８組まとまって出てきた
×  最後に９組以上まとまって出てきた、または、途中で３組以上まとまって出てきた
【００６８】
以下、実施例及び比較例について、説明する。
【００６９】
［実施例１］
実施例１では、上述の第１実施形態のアタッチメント１０、２０をディスペンサー１００に取付けたものを用いた。実施例１では、ディスペンサー１００の背面１１０に突起１３、１４が配置され、前面１２０に突起２３、２４が配置されている。また、突起１３、１４間の距離、および突起２３、２４間の距離は、いずれも約３０ｍｍとなっている。突起１３と突起２３とが水平方向の同じ位置に配置されている。また、突起１４と突起２４とも水平方向の同じ位置に配置されている。各シートに形成された突起の形状は、断面が２辺の三角形状である。また、アタッチメント１０、２０は、各シートの基部の端部を対向させ、基部１１、２１間（端部１１ｂ、２１ｂ間）の距離が約４ｍｍである。測定及び評価の結果を表１に示す。
【００７０】
［実施例２］
実施例２では、上述の第２実施形態のアタッチメント１０、２０をディスペンサー１００に取付けたものを用いた。実施例２では、基部１１、２１に突起１５、２５が形成されており、これらの突起１５、２５が、基部の端部１１ｂ、２１ｂから２０ｍｍ離れた位置に形成されていること以外は、実施例１と同様にした。測定及び評価の結果を表１に示す。
【００７１】
［実施例３］
実施例３では、上述の第３実施形態のアタッチメント１０、２０をディスペンサー１００に取付けたものを用いた。突起１３と突起２３とが水平方向に高さ位置をずらして配置され、突起１４と突起２４とが、水平方向に高さ位置をずらして配置されていること以外は、実施例２と同様にした。測定及び評価の結果を表１に示す。
【００７２】
［実施例４］
実施例４では、基部１１、２１間（端部１１ｂ、２１ｂ間）の距離が約１ｍｍであること以外は、実施例２と同様にした。測定及び評価の結果を表１に示す。
【００７３】
［実施例５］
実施例５では、基部１１、２１間（端部１１ｂ、２１ｂ間）の距離が約８ｍｍであること以外は、実施例２と同様にした。測定及び評価の結果を表１に示す。
【００７４】
［比較例１］
比較例１では、アタッチメント１０、２０を取付けなかったこと以外は、実施例１と同様にした。測定及び評価の結果を表１に示す。
【００７５】
［比較例２］
比較例２では、アタッチメント１０、２０に突起が形成されていないこと以外は、実施例１と同様にした。測定及び評価の結果を表１に示す。
【００７６】
【表１】
2018140075.tif 000003
延出部に複数の突起が形成されたシートをアタッチメントとしてディスペンサーに取り付けることにより、引出力は０．３ｋｇｆ未満で良好であり、引出性、保持性のいずれも良好であった（実施例１〜３）。これに対して、ディスペンサー内の前面、背面、側面のいずれにも突起が配置されない場合は、引出力が０．３ｋｇｆ以上となり、引出性、保持性の少なくともいずれかは良好でない結果となった（比較例１、２）。
【００７７】
また、基部にも突起が形成されたシートをアタッチメントとしてディスペンサーに取り付けると、引出力は０．２ｋｇｆ未満となり、引出性がさらに向上した（実施例２、３）。さらに、延出部に形成された突起の高さが互い違いに対向するように各シートを取付けると、引出力が０．１ｋｇｆ未満となり、保持性が向上した（実施例３）。
【００７８】
これらの結果から、本発明の薄葉紙ディスペンサー用アタッチメントによれば、薄葉紙の腰が弱い場合でも、薄葉紙を円滑に取り出すことができる。
【００７９】
以上、本発明の実施形態について説明したが、本発明は特定の実施形態に限定されるものではなく、特許請求の範囲に記載された発明の範囲内において、種々の変形、変更が可能である。
【符号の説明】
【００８０】
１０、２０  アタッチメント
１１、２１  基部
１１ａ、２１ａ  端部
Ｅ  隙間
１２、２２  延出部
１３〜１５、２３〜２５  突起
１００  ディスペンサー
１１０  背面
１２０  前面
１３０、１４０  側面
１５０  底面
１５１  載置部
１５２  取出口
ｄ１、ｄ２  幅寸法
【図１】
2018140075.tif 000004
【図２】
2018140075.tif 000005
【図３】
2018140075.tif 000006
【図４】
2018140075.tif 000007
【図５】
2018140075.tif 000008
【図６】
2018140075.tif 000009
【図７】
2018140075.tif 000010